【事件の表示】
　特許第３０８０４４６号「スキャナ」の請求項１、２に係る特許に対する特許異議の申立てについて、次のとおり決定する。
【結　論】
　訂正を認める。
　特許第３０８０４４６号の請求項１ないし２に係る特許を維持する。
【理　由】
１．手続の経緯
　特許第３０８０４４６号に係る発明についての出願は、平成３年９月５日の特許出願であって、平成１２年６月２３日にその発明について特許の設定登録がなされ、その後、その特許請求の範囲における請求項１及び２に係る発明について、異議申立人武田政子より特許異議の申立てがなされ、取消理由通知がなされ、その指定期間内である平成１３年７月１０日に訂正請求がなされ、その後再び取消理由通知がなされ、その指定期間内である平成１３年１２月１４日に訂正請求がなされたものである。
　なお、平成１３年７月１０日付けの訂正請求は、取り下げられた。
　
２．訂正の適否について
（１）訂正の内容
　平成１３年１２月１４日付けの訂正請求書による訂正事項は、
　ア．特許請求の範囲における請求項１の
　「【請求項１】スキャナ本体の原稿台ガラス台上に置かれた原稿の画像を、該原稿台ガラスの下側に設けられた画像読取ユニットを移動させながら読取るスキャナにおいて、
　前記画像読取ユニットに、原稿セット時の基準となる指標部材を取付けて、該原稿読取ユニットと連動するように設定したことを特徴とするスキャナ。」
を、特許請求の範囲の減縮を目的として、
　「【請求項１】スキャナ本体の原稿台ガラス上に置かれた原稿の画像を、該原稿台ガラスの下側に設けられた画像読取ユニットを移動させながら読み取るスキャナにおいて、
　前記原稿台ガラスの裏面全体にわたって位置し、原稿セット時の基準となるシート状の指標部材を備え、
　前記指標部材の一端部は前記画像ユニットに取付けられ、前記指標部材の他端部は前記画像ユニットに運動して回転するローラに巻き取られ、原稿読取時には前記指標部材は該画像読取ユニットに運動して読取エリアから退避することを特徴とするスキャナ。」
と訂正し、
　
イ．明瞭でない記載の釈明を目的として、明細書の段落番号【０００７】を、
　「【課題を解決するための手段】この発明は、かかる従来技術の課題を解決するため、スキャナ本体の原稿台ガラス上に置かれた原稿の画像を、該原稿台ガラスの下側に設けられた画像読取ユニットを移動させながら読み取るスキャナにおいて、前記原稿台ガラスの裏面全体にわたって位置し、原稿セット時の基準となるシート状の指標部材を備え、前記指標部材の一端部は前記画像ユニットに取付けられ、前記指標部材の他端部は前記画像ユニットに連動して回転するローラに巻き取られ、原稿読取時には前記指標部材は該画像読取ユニットに連動して読取エリアから退避することを特徴としている。」
と訂正するものである。
　
（２）訂正の目的の適否、新規事項の有無及び拡張・変更の存否
　上記訂正事項アは、願書に添付した明細書に記載された事項の範囲内において訂正するものであり、特許請求の範囲の減縮に該当し、新規事項の追加に該当しない。
　上記訂正事項イは、明瞭でない記載の釈明を目的として、願書に添付した明細書に記載された事項の範囲内において訂正するものであり、新規事項の追加に該当しない。
　そして、上記訂正は、実質上特許請求の範囲を拡張し、変更するものでもない。
　
（３）以上のとおりであるから、上記訂正は、特許法第１２０条の４第２項及び同条第３項において準用する特許法第１２６条第２項から第４項までの規定に適合するので、当該訂正を認める。
　
３．特許異議の申立てについて
（１）申立の理由の概要
　異議申立人武田政子は、証拠として
甲第１号証（特開昭６１−７５３３３号公報）、及び甲第２号証（特開昭５９−１９３４４０号公報）を提出し、本件請求項１及び２に係る発明は、甲第１号証乃至甲第２号証に記載された発明に基いて当業者が容易に発明をすることができたものであり、特許法第２９条第２項の規定により特許を受けることができないものであるから、本件請求項１及び２に係る発明の特許を取消すべき旨主張している。
　
（２）本件発明
　平成１３年１２月１４日付けで提出された訂正明細書の請求項１及び２に係る発明は、その特許請求の範囲の請求項１及び２に記載された次のとおりのものである。
　
【請求項１】スキャナ本体の原稿台ガラス上に置かれた原稿の画像を、該原稿台ガラスの下側に設けられた画像読取ユニットを移動させながら読み取るスキャナにおいて、
　前記原稿台ガラスの裏面全体にわたって位置し、原稿セット時の基準となるシート状の指標部材を備え、
　前記指標部材の一端部は前記画像ユニットに取付けられ、前記指標部材の他端部は前記画像ユニットに運動して回転するローラに巻き取られ、原稿読取時には前記指標部材は該画像読取ユニットに運動して読取エリアから退避することを特徴とするスキャナ。
　
　【請求項２】原稿セット時に前記指標部材を前記画像読取ユニットと共に任意の位置へ移動させる位置合わせスイッチと、
　ＯＮ動作により、一旦、ホームポジションに前記画像読取ユニットを戻し読取りを開始する読取スタートスイッチと、
　を備えたことを特徴とする請求項１に記載のスキャナ。
　
４．引用刊行物記載の発明
（１）当審が通知した取消理由に引用した刊行物１（特開昭６１−７５３３３号公報）（甲第１号証）には、以下の事項が記載されている。
（ア）「原稿台に載置された原稿を光学的に走査する走査手段と、」（第１頁左下欄第５〜６行）
　
（イ）「この発明は、例えば原稿の画像形成可能範囲を第１キャリッジによって表示可能とし、」（第２頁左上欄第８〜９行）
　
（ウ）「１は複写機本体で、この本体１の上面には原稿を支承する原稿台（透明ガラス）２が固定されている。そして、上記原稿台２上にセットされた原稿は、露光ランプ４およびミラー５，６，７からなる光学系３が原稿台２の下面に沿って矢印ａ方向に往復動することにより、その往復時に露光走査されるようになっている。」（第２頁左上欄第１８行〜同頁右上欄第５行）
　
（エ）「上記光学系３のホームポジション位置は後述する支点５２の近傍つまり図面右端部となっている。」（第２頁右上欄第１４〜１６行）
　
（オ）「第５図は前記光学系３を往復動させるための移動機構を示すものである。すなわち、ミラー５（および露光ランプ４）は第１キャリッジ４１１に、ミラー６，７は第２キャリッジ４１２にそれぞれ支持されており、これらキャリッジ４１１，４１２は案内レール４２１，４２２に案内されて矢印ａ方向に平行移動自在となっている。しかして、パルスモータ３３はプーリ４３を駆動する。このプーリ４３とアイドルプーリ４４との間には無端ベルト４５が掛渡されていて、このベルト４５の中途部にミラー５を支持する第１キャリッジ４１１の一端が固定されている。一方、ミラー６，７を支持する第２キャリッジ４１２のレール４２２の案内部４６には、レール４２２の軸方向に離間して２つのプーリ４７，４７が回転自在に設けられていて、これらプーリ４７，４７間にワイヤ４８が掛渡されており、このワイヤ４８の一端は固定部４９に、他端はコイルスプリング５０を介して上面固定部４９にそれぞれ固定されている。また、上記ワイヤ４８の中途部には第１キャリッジ４１１の一端が固定されている。しかして、パルスモータ３３が回転することにより、ベルト４５が回転して第１キャリッジ４１１が移動し、それに伴って第２キャリッジ４１２も移動する。このとき、プーリ４７，４７が動滑車の役目をするため、第１キャリッジ４１１に対して第２キャリッジ４１２が１／２の速度にて同一方向へ移動する。なお、第１，第２キャリッジ４１１，４１２の移動方向は、パルスモータ３３の回転方向を切換えることにより制御する。
　上記第１キャリッジ４１１はは選択されている給紙カセットの用紙サイズに合わせて用紙Ｐの送り方向の長さと、複写倍率から求めた複写可能範囲を示す位置に設定されるようになっている。」（第３頁右下欄第４行〜第４頁左上欄第１９行）
　
（カ）「また、前記露光ランプ４を支持する第１キャリッジ４１１にはその上部（つまり原稿台２の下部）に原稿台２における複写可能な範囲を示すスケール６２が設けられている。なお、上記スケール６２は選択されている給紙カセットの用紙サイズに合わせて、用紙の送り方向の長さと複写倍率から求まる複写可能範囲に相当する位置に設定されるものであり、そのスケール６２上のけい線６２１がその位置を示すようになっている。」（第４頁右上欄第９〜１９行）
　
（キ）「次に、このような構成において動作を説明する。たとえば今、電源オン後、メインプロセッサ群７１はスイッチセンサ７５からの信号に応じて用紙Ｐが用紙搬送路５１上に残留していないかチェックする。そして、残留がない場合、メインプロセッサ群７１は検知スイッチ３０１からの検知信号により上段給紙カセット１３の用紙サイズを判断し、この判断結果に応じて光学系３のイニシャライズ信号の用紙Ｐの長さＬＰを示す信号をサブプロセッサ群７２のマイコン１０１へ出力する。すると、マイコン１０１はパルスモータドライバ７９を用いてモータ３３を駆動することにより、第１，第２キャリッジ４１１，４１２を移動せしめる。これにより、ミラー５が第１図に示すように電源オン直前にＡ点にあったとすれば，Ａ点よりＢ点まで移動される。そして、マイコン１０１はモータ３３に対する初期位置検出信号が位置センサ８３から出力されてから所定時間つまりスケール６２のけい線６２１（スケール位置Ｌ）が用紙Ｐの搬送方向の長さとなるところまでスケール６２を移動せしめる。これにより、第１図に示すようにミラー５をＢ点よりＣ点まで移動する。」（第６頁右上欄第１０行〜同頁左下欄第１２行）
　
（ク）「次に、このような状態において、操作部の拡大指定キー１４３が押され、拡大複写の指示がなされた場合の動作について説明する。メインプロセッサ７１は先ず表示素子１４１に拡大率Ｍ％の表示を行う。次に、Ａ４のカセットサイズ検知スイッチ３０１の出力信号により、用紙ＰのサイズＬＰ、ＤＰを判断し、拡大率Ｍ％と用紙Ｐの長さＬＰより求まる信号をマイコン１０１に出力する。この信号はスケール６１のけい線６１１を
　ｌ１＝ＬＰ×１００／Ｍ　
なる位置に移動させる信号である。マイコン１０１はこの信号により、前述したように、モータドライバ７９を介してモータ３３を駆動し、第１キャリッジ４１１を本例では第７図に示す矢印Ｙ方向に移動させる。」（第６頁右下欄第１７行〜第７頁左上欄第１２行）
　
（ケ）「次に、このような状態において、縮小指定キー１４２が押され、Ｎ％の縮小複写が指定された場合の動作について説明する。先ず、メインプロセッサ群７１が表示素子１４１に縮小率Ｎ％を表示する。次に、縮小の位置にレンズを合わせるため、レンズモータ３１を駆動し、レンズ８を第１図に示す矢印Ｕ方向に移動させる。これとともに、ミラーモータ３２も駆動され、光路長が設定される。次に、前述した如く、第１キャリッジ４１１，指示体１６１，１６２をそれぞれ第１６図に示す矢印Ｒ，Ｓ，Ｔ方向へ移動し、スケール６２のけい線６２１および指示体１６１，１６２をそれぞれ
　ｌ１＝ＬＰ×１００／Ｎ
　ｌ２＝ＤＰ×１００／Ｎ
となる位置に移動する。この状態を第１７図に示す。したがって、使用者は図示斜線部（ｌ１×ｌ２）が複写可能範囲を示すものであると瞬時に判断できる。」（第７頁右上欄第１５行〜同頁左下欄第１３行）
　
（コ）「次に、上記のようにスケール６２，指示体１６１，１６２が設定された状態において、複写キー１３１が押された場合の動作について説明する。先ず、前述のような方法により、指示体１６１，１６２が画像として現われないよう、第１８図に示す如く、原稿台２の両側限界まで移動され、だい１キャリッジ４１１はホームポジションに移動される。そして、マイコン１０１はモータ３３を駆動することにより、第１、第２のキャリッジ４１１，４１２を走行せしめる。このとき、メインプロセッサ群７１により露光ランプ４が点灯制御される。これにより、露光ランプ４の光が原稿に照射される。」（第７頁右下欄第７から９行）
（２）同じく、当審が通知した取消理由に引用した刊行物２（特開昭５９−１９３４４０号公報）（甲第２号証）には、以下の事項が記載されている。
（ア）「前記原稿台上の原稿に対して相対的に移動することにより原稿を光走査する光学系と、この光学系の位置を、被画像形成体の大きさに応じて被画像形成体の送り方向の長さに相当する位置に予め移動せしめる移動手段とを有する画像形成装置において、前記移動手段によって設定された光学系の位置を任意に指定する位置指定手段と、この位置指定手段によって指定された位置から光学系を光走査開始位置まで移動させてから光走査を行なわせる制御手段と具備し、」（第１頁左下欄８〜１７行）
　
（イ）「この発明は、位置指定手段により設定された光学系の位置を任意に指定し、」（第２頁右上欄第４〜５行）
　
（ウ）「すなわち、１は複写機本体で、この本体１の上面には原稿を支承する原稿台（透明ガラス）２が固定されている。そして、上記原稿台２上にセットされた原稿は、露光ランプ４およびミラー５，６，７からなる光学系３が原稿台２の下面に沿って矢印ａ，ａ′方向に往復動することにより、その往復時に露光走査されるようになっている。」（第２頁右上欄第１６行〜同頁左下欄第３行）
　
（エ）「上記光学系３のホームポジション位置は後述する支点５２の近傍つまり図面右端部となっている。」（第２頁左下欄第１２〜１４行）
　
（オ）「前記光学系の移動を指定するスタート位置変更スイッチ（位置指定手段）１４９１，１４９２によって構成されている。上記スタート位置変更スイッチ１４９１が押えられている間、前記キャリッジ４１１を矢印ａ方向へ移動せしめ、スタート位置変更スイッチ１４９２が押えられている間、前記キャリッジ４１２を矢印ａ′方向へ移動せしめるようになっている。」（第３頁右下欄第４〜１１行）
　
（カ）「すなわち、ミラー５（および露光ランプ４）は第１キャリッジ４１１に、ミラー６，７は第２キャリッジ４１２にそれぞれ支持されており、これらキャリッジ４１１，４１２が案内レール４２１，４２２に案内されて矢印ａ方向に平行移動自在となっている。」（第４頁右上欄第５〜１０行）
　
（キ）「上記第１キャリッジ４１１は選択されている給紙カセットの用紙サイズに合わせて用紙Ｐの送り方向の長さとキャリッジ４１１自身の減速距離をを加えた位置に設定されるようになっている。」（第４頁左下欄第１５〜１９行）
　
（ク）「また、前記露光ランプ４を支持する第１キャリッジ４１１にはその上部（つまり原稿台の下部）に原稿台２における複写可能な長さを示すスケール６２が設けられている。上記スケール６１，６２はたとえば「Ａ４サイズ」「Ａ５サイズ」の長さを示すようになっている。」（第４頁右下欄第４〜１０行）
　
（ケ）「次に、このような構成において動作を説明する。たとえば今、電源オン後、メインプロセッサ群７１はスイッチセンサ７５からの信号に応じて用紙Ｐが用紙搬送路５１上に残留していないかチェックする。そして、残留がない場合、メインプロセッサ群７１は検知スイッチ３０１から検知信号により上カセット１３の用紙サイズを判断し、この判断結果に応じて光学系３のイニシャライズ信号と用紙Ｐの長さをを示す信号をマイコン１０１へ出力する。すると、マイコン１０１はパルスモータドライバ７９を用いてモータ３３を駆動することにより、第１、第２キャリッジ４１１，４１２　を移動せしめる。そして、マイコン１０１はモータ３３に対する初期位置検出信号が位置センサ８３から出力されてから所定時間つまりスケール６２のスケール位置Ｌが用紙Ｐの搬送方向の長さとなるところまで（Ｂ点）移動させる。」（第６頁右上欄第１〜１８行）
　
（コ）「また、第１の原稿５４と第２の原稿５５を原稿台１上に載置した際に、それらの原稿５４，５５のつなぎ目がＢ点よりずれている場合、スタート位置変更スイッチ１４９１、あるいは１４９２を投入すると、投入されている間だけ、キャリッジ４１１をａ方向あるいはａ′方向へ移動せしめる。この移動後のキャリッジ４１１の位置つまりミラー５の位置をＤ点あるいはＥ点とすると、複写開始後ミラー５がＤ点あるいはＥ点から原稿走査先端位置つまりＡ点まで移動し、その後Ｄ点或いはＥ点を切換点00として光学系３を移動し、前述したような複写動作を行なう。」（第７頁左下欄第１３行〜同頁右下欄第４行）
　
５．対比・判断
　請求項１及び２に係る発明と刊行物１乃至２に記載された発明とを対比すると、
　刊行物１乃至２に記載された発明はいずれも、請求項１及び２に記載された発明の要件である「原稿台ガラスの裏面全体にわたって位置し、原稿セット時の基準となるシート状の指標部材」であって、「前記指標部材の一端部は前記画像ユニットに取付けられ、前記指標部材の他端部は前記画像ユニットに連動して回転するローラに巻き取られ」、そして「原稿読取時には前記指標部材は該画像ユニットに連動して読取エリアから退避する」ことについて開示も示唆もしない。
　そして、請求項１及び２に係る発明は、上記要件を有することにより、明細書記載の効果を奏するものであるから、請求項１及び２に係る発明は、刊行物１乃至２に記載された発明であるとも、刊行物１乃至２に記載された発明に基いて当業者が容易に発明をすることができた発明であるともいえない。
　
６．むすび
　以上のとおりであるから、特許異議申立の理由及び証拠によっては、本件請求項１及び２に係る発明の特許を取り消すことができない。
　また、他に本件請求項１及び２に係る発明の特許を取り消すべき理由を発見しない。
　よって、結論のとおり審決する。
【異議決定日】
平成１３年１２月１９日（２００１．１２．１９）
【訂正の要旨】
訂正の要旨
（１）訂正事項ａ
　特許請求の範囲の減縮及び不明瞭な記載の釈明を目的として、特許請求の範囲の請求項１を、
　「【請求項１】スキャナ本体の原稿台ガラス上に置かれた原稿の画像を、該原稿台ガラスの下側に設けられた画像読取ユニットを移動させながら読み取るスキャナにおいて、
　前記原稿台ガラスの裏面全体にわたって位置し、原稿セット時の基準となるシート状の指標部材を備え、
　前記指標部材の一端部は前記画像ユニットに取付けられ、前記指標部材の他端部は前記画像ユニットに運動して回転するローラに巻き取られ、原稿読取時には前記指標部材は該画像読取ユニットに運動して読取エリアから退避することを特徴とするスキャナ。」
と訂正する。
（２）訂正事項ｂ
　明細書の段落番号「０００７」を、
　「【課題を解決するための手段】この発明は、かかる従来技術の課題を解決するため、スキャナ本体の原稿台ガラス上に置かれた原稿の画像を、該原稿台ガラスの下側に設けられた画像読取ユニットを移動させながら読み取るスキャナにおいて、前記原稿台ガラスの裏面全体にわたって位置し、原稿セット時の基準となるシート状の指標部材を備え、前記指標部材の一端部は前記画像ユニットに取付けられ、前記指標部材の他端部は前記画像ユニットに連動して回転するローラに巻き取られ、原稿読取時には前記指標部材は該画像読取ユニットに連動して読取エリアから退避することを特徴としている。」
と訂正する。
（５４）【発明の名称】
スキャナ
（５７）【特許請求の範囲】
　【請求項１】　スキャナ本体の原稿台ガラス上に置かれた原稿の画像を、該原稿台ガラスの下側に設けられた画像読取ユニットを移動させながら読取るスキャナにおいて、
前記原稿台ガラスの裏面全体にわたって位置し、原稿セット時の基準となるシート状の指標部材を備え、
前記指標部材の一端部は前記画像ユニットに取付けられ、前記指標部材の他端部は前記画像ユニットに連動して回転するローラに巻き取られ、原稿読取時には前記指標部材は該画像読取ユニットに連動して読取エリアから退避する
　【請求項２】　原稿セット時に前記指標部材を前記画像読取ユニットと共に任意の位置へ移動させる位置合わせスイッチと、
ＯＮ動作により、一旦、ホームポジションに前記画像読取ユニットを戻し読取りを開始する読取りスタートスイッチと、
を備えたことを特徴とする請求項１に記載のスキャナ。
【発明の詳細な説明】
　【０００１】
　【産業上の利用分野】この発明は、複写機等のスキャナ、特に、原稿台ガラスの下に原稿の位置合わせのための指標を設けることにより、原稿台ガラス上の任意の位置にでも原稿のセットを容易にできるスキャナに関するものである。
　【０００２】
　【従来の技術】従来のこの種のものとしては、例えば図５又は図６に示すようなものがある。図５に示す複写機等のスキャナは、スキャナ本体１の上面部に原稿台ガラス２が設けられ、この原稿台ガラス２の側部に原稿３のセット用の指標部材４が設けられている。
　【０００３】原稿３はその指標部材４に突当ててセットするようにしている。
　【０００４】又、図６に示すスキャナでは、原稿台ガラス２上のグリッドを印刷したシート５等に合わせて原稿３をセットするようにしている。
　【０００５】
　【発明が解決しようとする課題】しかしながら、図５に示す従来例では、指標部材４に突当てて原稿３をセットするようにしているため、原稿３を突当てることができない位置では基準がないことから、原稿３が斜めになったりして正確な原稿３のセットが困難である。また、図６に示す従来例では、上記のような突当てを必要としないため任意の位置に原稿３をセットできるが、原稿３以外のシート５のグリッドの部分まで読込まれてしまう。
　【０００６】そこで、この発明は、任意の位置に原稿を適正にセットできると共に、原稿の画像のみの読込みを可能とするスキャナを提供することを課題としている。
　【０００７】
　【課題を解決するための手段】この発明は、かかる従来の課題を解決するため、スキャナ本体の原稿台ガラス上に置かれた原稿の画像を、該原稿台ガラスの下側に設けられた画像読取ユニットを移動させながら読取るスキャナにおいて、
前記原稿台ガラスの裏面全体にわたって位置し、原稿セット時の基準となるシート状の指標部材を備え、前記指標部材の一端部は前記画像ユニットに取付けられ、前記指標部材の他端部は前記画像ユニットに連動して回転するローラに巻き取られ、原稿読取時には前記指標部材は該画像読取ユニットに連動して読取エリアから退避する
　【０００８】原稿セット時に前記指標部材を前記画像読取ユニットと共に任意の位置へ移動させる位置合わせスイッチと、ＯＮ動作により、一旦、ホームポジションに前記画像読取ユニットを戻し読取りを開始する読取りスタートスイッチと、を備えたことが良好である。
　【０００９】
　【作用】かかる手段によれば、原稿をセットする場合、原稿台ガラスの下側の指標部材を基準として原稿台ガラス上にセットする。この際、指標部材が原稿台ガラスの下側に配設されているため、従来のような突当て式のものと異なり、いかなるサイズの原稿も任意の位置にセットできる。
　【００１０】また、その指標部材は画像読取りユニットと連動するため、画像の読取りに悪影響を与えることがない。
　【００１１】
　【実施例】以下、この発明を実施例に基づいて説明する。
　【００１２】図１および図２は、この発明の第１実施例を示す図である。従来と同一ないし同等な部材は同一符号を付して説明する。
　【００１３】まず構成を説明すると、上面に原稿台ガラス２を有するスキャナ本体１の内部には、原稿台ガラス２の下側を移動する画像読取ユニット６が設けられている。この画像読取ユニット６は、一対のプーリ７，８に掛け渡されたワイヤ９に取付けられ、プーリ７が駆動用モータ１２にて回転されるようになっている。このモータ１２の駆動によりプーリ７が回転されて、ワイヤ９を介して画像読取ユニット６が平行移動されるようになっている。
　【００１４】この画像読取ユニット６には、グリッドが印刷されたシート状の指標部材１０の一端部が取付けられ、他端部が前記プーリ８と一体に回転するローラ１１に取付けられて巻取られるようになっている。これにより、指標部材１０は、画像読取ユニット６と連動するようになっている。
　【００１５】次に、かかる構成よりなるスキャナの作用について説明する。
　【００１６】原稿をセットする時は、画像読取ユニット６が図に示すようにホームポジションにあり、指標部材１０が原稿台ガラス２の裏面全体にわたって位置している。これにより、原稿のサイズ等に拘らず、その指標部材１０を基準として任意の位置に原稿をセットできる。
　【００１７】一方、原稿の読取り時には、駆動モータ１２の作動により、プーリ７，８やワイヤ９を介して画像読取ユニット６が移動されると同時に、ローラ１１に巻取られて指標部材１０も移動する。従って、この指標部材１０が読取りエリアから退避することにより、読取り画像に悪影響を与えることがない。
　【００１８】また、図３および図４は、この発明の第２実施例を示す。
　【００１９】この実施例の指標部材１３は、長板状を呈し、画像読取ユニット６上に取付けられており、第１実施例のシート状のものと異なり、ローラ１１で巻取られるようになってはいない。そして、この画像読取ユニット６は、位置合せスイッチ１４により、任意の位置へ移動されるようになっていると共に、読取りスタートスイッチ１５のＯＮ動作により、一旦、図３，図４に示すホームポジションに戻り読取りを開始するようになっている。
　【００２０】かかる構成によれば、位置合せスイッチ１４の操作により指標部材１３を移動させることにより、任意の位置に原稿を簡単にセットすることができる。
　【００２１】また、この指標部材１３も画像読取ユニット６と一体となって移動するため、読取り画像に悪影響を与えることはない。
　【００２２】この実施例では、第１実施例より構成が簡単であるためコストを安くすることが可能である。また、電気的に制御して指標部材１３を動かすため機械側からユーザーに対して原稿セット位置を示す必要があるときなどに特に有効である。
　【００２３】
　【発明の効果】以上説明してきたようにこの発明によれば、原稿台ガラスの下に画像読取ユニットと連動する指標部材を設けることにより、読取り画像に悪影響を与えることなく任意の位置に任意のサイズの原稿をセットすることが容易になる、という効果が得られる。
【図面の簡単な説明】
　【図１】この発明の第１実施例を示すスキャナの一部を破断した斜視図である。
　【図２】同実施例のスキャナの断面図である。
　【図３】この発明の第２実施例を示す図１に相当する斜視図である。
　【図４】同第２実施例を示す図２に相当する断面図である。
　【図５】従来例を示すスキャナの斜視図である。
　【図６】他の従来例を示すスキャナの斜視図である。
　【符号の説明】
１　スキャナ本体
２　原稿台ガラス
３　　原稿
６　　画像読取ユニット
１０，１３　　指標部材